(57)【要約】【課題】薄型で、かつ、入力端子８の取付部（取付面）の強度を向上し得るようにしたデジタル放送受信用ユニットを提供する。【解決手段】第１平板部１１を、シールドケース１の複数の側壁のうち、互いに対向する２側壁（長辺側壁３ａ・３ｂ）と一体化して、かつ、回路基板２と対向するように設ける。そして、この第１平板部１１に入力端子８を立設する。そして、望ましくは、第１平板部１１における一体化されていない残りの側壁（短辺側壁４ｂ）側の端部をＬ字形に折り曲げて第２平板部１２を形成するとともに、この第２平板部１２の先端部（折り曲げ側とは反対側の端部）を、回路基板２と電気的に接続、固定する。【選択図】　図１
2004134842.tif 000002
【特許請求の範囲】
【請求項１】
回路基板を複数の側壁で囲むシールドケースを備えたデジタル放送受信用ユニットであって、
上記シールドケースは、少なくとも１個の外部接続端子を支持する支持部をさらに備え、
上記支持部は、
上記回路基板と対向配置され、上記外部接続端子が立設される第１平板部を有しており、
上記第１平板部は、上記複数の側壁のうち、互いに対向配置される２側壁と一体化されていることを特徴とするデジタル放送受信用ユニット。
【請求項２】
上記第１平板部は、上記２側壁およびこれら２側壁を連結する１側壁と一体化されていることを特徴とする請求項１に記載のデジタル放送受信用ユニット。
【請求項３】
上記支持部は、
上記回路基板と電気的に接続される第２平板部をさらに有しており、
上記第２平板部は、上記第１平板部における残りの側壁側の端部を折り曲げてなっているとともに、上記回路基板に固定されていることを特徴とする請求項２に記載のデジタル放送受信用ユニット。
【請求項４】
上記２側壁は、上記第１平板部および上記第２平板部の両方に垂直となるように対向配置されている側壁であることを特徴とする請求項３に記載のデジタル放送受信用ユニット。
【請求項５】
上記第２平板部において、上記２側壁側の両端面には、上記各側壁に形成された開口部に挿入される突起部が形成されていることを特徴とする請求項４に記載のデジタル放送受信用ユニット。
【請求項６】
上記第２平板部において、上記回路基板との接続側の端面には、上記回路基板に形成された開口部に挿入される突起部が形成されていることを特徴とする請求項３ないし５のいずれかに記載のデジタル放送受信用ユニット。
【請求項７】
上記第２平板部は、上記回路基板上に実装されている複数の回路部を分離するように、上記回路基板に固定されていることを特徴とする請求項３ないし６のいずれかに記載のデジタル放送受信用ユニット。
【請求項８】
上記支持部は、
上記回路基板と電気的に接続される複数の第２平板部をさらに有しており、
上記複数の第２平板部は、上記第１平板部における上記外部接続端子の立設位置を挟む位置関係にある両端部をそれぞれ折り曲げてなっているとともに、それぞれが上記回路基板に固定されていることを特徴とする請求項１に記載のデジタル放送受信用ユニット。
【請求項９】
上記２側壁は、上記第１平板部および上記２個の第２平板部のそれぞれに垂直となるように対向配置されている側壁であることを特徴とする請求項８に記載のデジタル放送受信用ユニット。
【請求項１０】
上記２個の第２平板部のそれぞれにおいて、上記２側壁側の両端面には、各側壁に形成された開口部に挿入される突起部が形成されていることを特徴とする請求項９に記載のデジタル放送受信用ユニット。
【請求項１１】
上記２個の第２平板部のそれぞれにおいて、上記回路基板との接続側の端面には、上記回路基板に形成された開口部に挿入される突起部が形成されていることを特徴とする請求項８ないし１０のいずれかに記載のデジタル放送受信用ユニット。
【請求項１２】
上記２個の第２平板部は、上記回路基板上に実装されている複数の回路部を分離するように、上記回路基板に固定されていることを特徴とする請求項８ないし１１のいずれかに記載のデジタル放送受信用ユニット。
【請求項１３】
上記回路基板には、上記外部接続端子を境界としてその両側に、同一の回路部が対称に配置されていることを特徴とする請求項８ないし１２のいずれかに記載のデジタル放送受信用ユニット。
【請求項１４】
上記第１平板部には、複数の外部接続端子が立設されていることを特徴とする請求項１ないし１３のいずれかに記載のデジタル放送受信用ユニット。
【発明の詳細な説明】
【０００１】
【発明の属する技術分野】
本発明は、ＬＣＤ（液晶パネル）やＰＤＰ（プラズマディスプレイパネル）等の薄型ＴＶ機器に搭載可能なデジタル放送受信用ユニットに関するものである。
【０００２】
【従来の技術】
近年、低消費電力、大画面化の点から、従来のブラウン管型のＴＶ機器からＬＣＤやＰＤＰを使用したＴＶ機器への移行が本格化してきている。このような背景の中、従来では、デジタル放送を受信、視聴するための手段であった、デジタル放送受信用ユニット（例えば特許文献１〜３参照）を内蔵したＳＴＢ（セットトップボックス）と呼ばれる受信機器が主流となっていた。しかし、近年では、これらのデジタル放送受信用ユニットを内蔵し、ＳＴＢとＴＶ機器との面倒なケーブル接続をなくしたＴＶ機器も数多く市場に出回っている。このようなＴＶ機器は、今後ＳＴＢに代わって主流になるものと予測される。
【０００３】
例えば、図６は、デジタル放送受信用ユニット１０１が内蔵されたブラウン管型のＴＶ機器１００の概略の構成を示す断面図である。このＴＶ機器１００では、回路基板１０２上にデジタル放送受信用ユニット１０１が取り付けられており、ＴＶ機器１００の背面より出た入力端子１０３に、図示しないケーブルが接続される構造となっている。
【０００４】
ここで、図７は、デジタル放送受信用ユニット１０１の拡大図を示している。同図に示すように、デジタル放送受信用ユニット１０１は、箱型をなしており、その一側面に上記の入力端子１０３が立設されている。
【０００５】
一方、図８は、デジタル放送受信用ユニット２０１が内蔵されたＬＣＤ型のＴＶ機器２００の概略の構成を示す断面図である。このＴＶ機器２００では、内部の回路基板２０２上にデジタル放送受信用ユニット２０１が取り付けられており、上記と同様に、入力端子２０３に図示しないケーブルが接続される構造となっている。なお、デジタル放送受信用ユニット２０１は、図７で示したデジタル放送受信用ユニット１０１と全く同様の構成のものである。
【０００６】
【特許文献１】
実開平６−５２２８６号公報
【特許文献２】
特開平７−２３１１８７号公報
【特許文献３】
特開平１０−２８４８６６号公報
【０００７】
【発明が解決しようとする課題】
ところで、図６に示すようなブラウン管型のＴＶ機器１００であれば、機器本体が奥行のある製品であるため、これに内蔵されるデジタル放送受信用ユニット１０１は小型である必要はない。また、デジタル放送受信用ユニット１０１の入力端子１０３の取付部（取付面）においては、厚みをもたせて強固な構造にできるため、強度的にも問題はない。
【０００８】
しかしながら、ＬＣＤ型やＰＤＰ型のＴＶ機器の場合、本体自体が薄型であるため、それに内蔵されるデジタル放送受信用ユニットについても薄型が要求される。
【０００９】
そこで、このような要求に対処すべく、例えば、図９に示すケース構造のデジタル放送受信用ユニット２０１´、すなわち、図７に比べて薄型のデジタル放送受信用ユニット２０１´を用い、図１０に示すように、ＴＶ機器２００の回路基板２０２に対してデジタル放送受信用ユニット２０１´を寝かして配置する構成が考えられる。このようなユニットのケース構造でも、当該ケースを構成する側壁に入力端子２０３が直接取り付けられる。
【００１０】
しかし、上記側壁（入力端子２０３の取付部（取付面））は、当該側壁の両端部にて、隣接する側壁と例えば突起部をかしめることによって固定されるだけであるため、外的な要因（例えばケーブルコネクタの取り付け作業等）により、上記側壁の変形、破壊等のおそれがあった。つまり、図９のケース構造では、図７のケース構造と同様に、入力端子２０３の取付部（取付面）の強度が弱かった。
【００１１】
この点について、より詳細に説明する。図９に示すケース構造のデジタル放送受信用ユニット２０１´は、図１１に示すように、１枚の鋼板をプレス加工により箱型に曲げることによって形成されており、左右方向に延びて互いに対向する一対の長辺側壁２１１ａ・２１１ｂと、これらの長辺側壁２１１ａ・２１１ｂに直交する方向に延びて互いに対向する一対の短辺側壁２１２ａ・２１２ｂとを有している。そして、例えば長辺側壁２１１ａ・２１１ｂに形成された突起部２１３を、短辺側壁２１２ａ・２１２ｂに形成された開口部２１４に嵌め込み、開口部２１４より突出した突起部２１３をかしめることにより、それぞれ隣り合う側壁同士が固定されるようになっている。
【００１２】
このような構造では、ケース上面ではそれぞれの側壁がコーナー部２１５で接続されているだけなので、図１２に示すように、入力端子２０３に矢印のような方向に応力（ケースの曲げ応力）が加わった場合、ケースの機械的強度が不十分なため、入力端子２０３の取付部（取付面）である側壁２１６が変形あるいは破壊等するおそれがあった。
【００１３】
また、その対策として、図１３に示すように、ケースを補強するための平面部２１７をケース上面に設ける構成も考えられる。しかし、この構成においても、入力端子２０３は、隣接する側壁とケース下部で単にかしめられている側壁２１６に取り付けられていることに変わりはなく、隣接する側壁間の連結強度が十分ではないため、入力端子２０３の取付部の機械的強度としても十分とは言えない。しかも、この構成では、ケースの厚さが入力端子２０３の径に依存して決定されるため、ケースの薄型化を図るには限界がある。
【００１４】
本発明は、上記の問題点に鑑みてなされたもので、その目的は、ＬＣＤやＰＤＰを搭載したＴＶ機器に搭載可能であって、薄型で、かつ、入力端子の取付部（取付面）の強度を向上し得るようにしたデジタル放送受信用ユニットを提供することにある。
【００１５】
【課題を解決するための手段】
本発明のデジタル放送受信用ユニットにおいては、シールドケースは、少なくとも１個の外部接続端子（例えば入力端子）を支持する支持部を備えている。この支持部は、回路基板と対向して配置され、外部接続端子が立設される第１平板部を有している。
【００１６】
ここで、第１平板部は、シールドケースの複数の側壁のうち、互いに対向配置される２側壁と一体化して形成されている。このような一体化は、例えば、１枚の鋼板を第１平板部を基準にしてプレス加工し、箱型に折り曲げることで実現可能である。これにより、外部接続端子と、支持部と、互いに対向する２側壁とが一体的に構成される。
【００１７】
このようなケース構造では、上記側壁に外的な応力が加わったとしても、上記側壁の変形を、これと一体化された支持部にて抑えることができる。また、逆に、上記支持部に外的な応力が加わったとしても、上記支持部の変形を、これと一体化された２側壁で抑えることができる。このように、一体化された２側壁および支持部は、一方の外的応力による変形を他方が抑制するという関係に立つので、どのような方向の曲げ応力に対しても耐え得るケース構造を実現することができる。その結果、外部接続端子の取付部（支持部）、ひいてはユニット全体の強度を十分に確保することができる。
【００１８】
しかも、本発明のデジタル放送受信用ユニットでは、回路基板と対向配置した第１平板部に外部接続端子を立設する構成、すなわち、外部接続端子が立設される第１平板部を回路基板に対して寝かせる構成としたので、回路基板に対して垂直に設けられる側壁に外部接続端子を立設する構成、すなわち、外部接続端子が立設される側壁を回路基板に対して垂直に設ける構成に比べて、回路基板に対して垂直に突出する方向の長さを容易に短くすることができる。これにより、デジタル放送受信用ユニットの薄型化を容易に図ることができる。
【００１９】
つまり、本発明によれば、デジタル放送受信用ユニットの薄型化と、外部接続端子の取付部の強化とを両方同時に達成することができる。
【００２０】
ここで、上記第１平板部は、上記２側壁およびこれら２側壁を連結する１側壁と一体化されている構成としてもよい。この場合、第１平板部と上記３側壁との間で、外的応力による変形を互いに抑制する効果が高まるので、ユニット全体の強度をさらに高めることができる。
【００２１】
また、上記支持部は、回路基板と電気的に接続される（１個の）第２平板部をさらに有しており、第２平板部は、第１平板部における残りの側壁（一体化されている上記３側壁以外の側壁）側の端部を折り曲げてなっているとともに、上記回路基板に固定されている構成が望ましい。また、上記支持部は、回路基板と電気的に接続される複数の第２平板部をさらに有しており、上記複数の第２平板部は、第１平板部における外部接続端子の立設位置を挟む位置関係にある両端部（第１平板部と一体化されている上記２側壁以外の残りの側壁側の両端部）をそれぞれ折り曲げてなっているとともに、それぞれが回路基板に固定されている構成であってもよい。
【００２２】
この場合、外部接続端子と支持部とシールドケースの複数の側壁と回路基板とが一体的に構成され、しかも、互いに対向する回路基板と第１平板部とが少なくとも１個の第２平板部で連結されるので、回路基板および第１平板部に対して垂直方向の応力を上記第２平板部にて確実に受け止めることができる。その結果、外部接続端子の取付部（支持部）、ひいてはユニット全体の強度をさらに十分に確保することができる。
【００２３】
【発明の実施の形態】
〔実施の形態１〕
本発明の実施の一形態について、図面に基づいて説明すれば、以下の通りである。本実施形態では、本発明のデジタル放送受信用ユニットをデジタル衛星放送受信用ユニットに適用した例について説明する。
【００２４】
図１は、本実施形態に係るデジタル放送受信用ユニットの概略の構成を示す斜視図である。また、図２は、図１におけるＡ−Ａ´線矢視断面図である。これらの図に示すように、本実施形態のデジタル放送受信用ユニットは、回路基板２をＴＶ機器内部のマザーボード（図示せず）に実装するためのシールドケース１を備えている。
【００２５】
シールドケース１は、ターンシート材やブリキ材などの鋼板をプレス加工により箱型に折り曲げられて形成されるものであり、回路基板２を囲む複数の側壁、すなわち、一対の長辺側壁３ａ・３ｂと一対の短辺側壁４ａ・４ｂとを有している。長辺側壁３ａ・３ｂは互いに対向して配置されており、短辺側壁４ａ・４ｂも互いに対向して配置されている。また、長辺側壁３ａ・３ｂと短辺側壁４ａ・４ｂとは、互いに直交するように設けられている。したがって、長辺側壁３ａ、短辺側壁４ａ、長辺側壁３ｂ、短辺側壁４ｂの４つの側壁は、この順で連結されて、略直方体形状の回路基板２をその側辺方向から囲んでいる。
【００２６】
また、長辺側壁３ａ・３ｂの各々における長手方向（延設方向）の両端部には、そこからさらに上記長手方向に突出する突出部５がそれぞれ設けられている。一方、短辺側壁４ａ・４ｂの各々の長手方向（延設方向）の両端部であって、上記突出部５と対応する位置には、開口部６がそれぞれ形成されている。長辺側壁３ａ・３ｂの突出部５を短辺側壁４ａ・４ｂの開口部６に嵌め込み、開口部６からさらに突出している突出部５をかしめることにより、隣り合う側壁同士が連結され、固定される。
【００２７】
なお、図１では、シールドケース１の構成を明確にする目的で、突出部５をかしめる前の状態、すなわち、突出部５を単に短辺側壁４ａ・４ｂの開口部６に嵌め込んだ状態で図示している。
【００２８】
また、長辺側壁３ａ・３ｂの下部には、シールドケース１をマザーボードに取り付けるための突起部７が形成されており、マザーボードに形成された開口部に上記の突起部７が挿入され、半田付け等がされることで、シールドケース１とマザーボードとが電気的に接続され、固定される。
【００２９】
なお、本実施形態では、突起部７を長辺側壁３ａ・３ｂにのみ形成しているが、短辺側壁４ａ・４ｂにのみ形成してもよく、また、これら両者に形成してもよい。つまり、複数の側壁の少なくとも一部に、シールドケース１をマザーボードに固定するための突起部７（固定部）が形成されていればよい。
【００３０】
また、シールドケース１は、少なくとも１個の外部接続端子を支持する支持部１０を備えている。以下、支持部１０について詳細に説明する。なお、本実施形態では、上記外部接続端子として、１個の入力端子８を用いる場合について説明する。
【００３１】
支持部１０は、第１平板部１１と、第２平板部１２とを有している。
第１平板部１１は、回路基板２と対向して配置されており、入力端子８を取り付けるための取付穴（図示せず）を有している。入力端子８は、この取付穴を介して第１平板部１１に立設されている。
【００３２】
また、第１平板部１１は、回路基板２を囲む複数の側壁のうち、互いに対向配置される２側壁およびこれら２側壁を連結する１側壁と一体化して形成されている。つまり、第１平板部１１は、互いに対向配置される２個の長辺側壁３ａ・３ｂと一体化されているとともに、これら２個の長辺側壁３ａ・３ｂを連結する１個の短辺側壁４ａと一体化されている。
【００３３】
第１平板部１１と上記の３側壁とを一体化したシールドケース１は、１枚の鋼板を第１平板部１１を基準に下方にプレス加工し、箱型に折り曲げることで得ることが可能である。つまり、このようなプレス加工により、長辺側壁３ａ・３ｂの上部および短辺側壁４ａの上部で一体化された第１平板部１１を得ることができる。
【００３４】
このように、第１平板部１１が、隣接する３つの側壁と一体化されていることにより、シールドケース１内において第１平板部１１と隣接した位置には、１個の矩形の開口部が形成されることになる。つまり、第１平板部１１の自由端（上記３つの側壁と一体化されていない箇所）と、長辺側壁３ａ・３ｂと、短辺側壁４ｂとで囲まれる領域が上記の開口部を形成することになる。この開口部内に位置する回路基板２上の回路部１７は、むき出しとなっている。
【００３５】
第２平板部１２は、本実施形態では、第１平板部１１の一端部、具体的には、第１平板部１１と一体化されていない残りの短辺側壁４ｂ側の端部（短辺側壁４ａとの接続側とは反対側の端部）を切り欠き、回路基板２に向かう方向にＬ字型に折り曲げてなっている。第２平板部１２の先端部、すなわち、第２平板部１２の上記折り曲げ側とは反対側の端部は、回路基板２と電気的に接続されている。
【００３６】
また、第２平板部１２の上記先端部（回路基板２との接続側の端部）の端面には、回路基板２に形成された開口部１３に挿入される突起部１４が形成されている。したがって、突起部１４が開口部１３に嵌めこまれ、回路基板２の裏面にて回路基板２と半田付け等がされることにより、第２平板部１２と回路基板２とが電気的に接続され、固定されることになる。これにより、第２平板部１２と一体的に形成される、入力端子８の取付部としての第１平板部１１の強度を十分に確保することができる。
【００３７】
ここで、第２平板部１２は、第１平板部１１の一端部をＬ字型に折り曲げてなり、しかも、第１平板部１１が互いに対向配置される２側壁（長辺側壁３ａ・３ｂ）と一体化されていることから、上記の２側壁、すなわち、長辺側壁３ａ・３ｂは、第１平板部１１および第２平板部１２の両方に垂直となるように対向配置されている側壁であると言える。
【００３８】
第２平板部１２において、上記対向配置されている長辺側壁３ａ・３ｂ側の両端面には、これら長辺側壁３ａ・３ｂに形成された開口部１５に挿入される突起部１６がそれぞれ形成されている。これにより、第２平板部１２の各突起部１６を長辺側壁３ａ・３ｂの開口部１５に嵌めこみ、さらに開口部１５から突出する突起部１６をかしめることにより、第２平板部１２が回路基板２だけでなく、長辺側壁３ａ・３ｂとも固定される。したがって、第２平板部１２の強度のみならず、これと一体的に形成されている第１平板部１１の強度、ひいては、シールドケース１の強度をより高めることができる。
【００３９】
なお、図１では、シールドケース１の構成を明確にする目的で、突起部１６をかしめる前の状態、すなわち、突起部１６を単に長辺側壁３ａ・３ｂの開口部１５に嵌め込んだ状態で図示している。
【００４０】
また、回路基板２上には、復調回路などを含む複数の回路部１７が実装されているが、第２平板部１２は、回路基板２上の複数の回路部１７を分離するように、回路基板２に固定され、また、回路基板２と電気的に接続されている（図２参照）。これにより、第２平板部１２は、シールドケース１を補強する役目にとどまらず、回路基板２上の各回路部１７のアイソレーションを確保する役目も果たす。このため、シールドケース１に第２平板部１２を設ければ、各回路部１７のアイソレーションを確保するための構成を別途設ける必要がない。その結果、シールドケース１の構造を簡略化することができる。しかも、アイソレーションの確保により、干渉の少ない良好な特性のデジタル放送受信用ユニットを実現することができる。
【００４１】
以上のように、本実施形態のデジタル放送受信用ユニットにおいては、入力端子８が立設される第１平板部１１は、シールドケース１の複数の側壁のうち、互いに対向配置される２側壁（長辺側壁３ａ・３ｂ）と一体化されている。これにより、第１平板部１１を有する支持部１０と、長辺側壁３ａ・３ｂとの間で、外的応力に起因する互いの変形を抑制し合う効果が得られる。したがって、どのような方向の曲げ応力に対しても耐え得るケース構造となる。その結果、ユニット全体の強度を十分に確保することができる。しかも、長辺側壁３ａ・３ｂと一体化されることで機械的強度の高まる第１平板部１１に入力端子８を設けることにより、入力端子８の取付部（支持部１０、第１平板部１１）の強度も十分に確保することができる。
【００４２】
特に、本実施形態では、第１平板部１１は、長辺側壁３ａ・３ｂを連結する１側壁（短辺側壁４ａ）ともさらに一体化されているので、入力端子８の取付部の強度およびユニット全体の強度を確実に高めることができる。
【００４３】
しかも、本実施形態では、回路基板２と対向配置した第１平板部１１に入力端子８を取り付けることで、シールドケース１の上面に入力端子８を位置させる構成としている。この場合、シールドケース１の厚みは、回路基板２上に形成されている電気回路部品の高さに依存するが、図８および図１０で示したように、ケース厚みが入力端子２０３の径に依存する従来に比べて、ケース厚みを容易に抑えることができる。その結果、薄型で小型のシールドケース１を容易に実現することができ、ＬＣＤ型やＰＤＰ型等のＴＶ機器への内蔵も容易に実現することができる。
【００４４】
つまり、本実施形態のデジタル放送受信用ユニットによれば、ユニットの薄型化と、入力端子８の取付部の強度強化とを両方同時に達成することができる。
【００４５】
また、第２平板部１２は、第１平板部１１において、残りの短辺側壁４ｂ側の端部を折り曲げてなっているとともに、回路基板２に固定されている。これにより、入力端子８と支持部１０とシールドケース１の複数の側壁と回路基板２とが一体的に構成される。しかも、互いに対向する回路基板２と第１平板部１１とが第２平板部１２で連結される。したがって、回路基板２および第１平板部１１に対して垂直方向の応力を、第２平板部１２にて確実に受け止めることができる。その結果、入力端子８の取付部、ひいてはユニット全体の強度をさらに確保することができる。
【００４６】
また、入力端子８が立設される第１平板部１１を回路基板２と対向配置しているので、第１平板部１１の面積を比較的広げることもでき、第１平板部１１における入力端子８の設置位置に自由度を持たせることもできる。
【００４７】
ところで、本実施形態では、第１平板部１１に形成する外部接続端子として、１個の入力端子８を考えているが、複数の外部接続端子を第１平板部１１に形成する構成であっても構わない。例えば、上記外部接続端子として、２個の入力端子８を考える場合、これら２個の入力端子８をシールドケース１の両サイドに、すなわち、第１平板部１１上で長辺側壁３ａ・３ｂと垂直方向（短辺側壁４ａ・４ｂの延設方向）に並べて配置する構成が考えられる。この場合、入力部は異なるが、同一の回路部で対応できる構成のデジタル放送受信用ユニットを提供することができる。
【００４８】
例えば、デジタルＣＳ放送用のＱＰＳＫ復調回路と、デジタルＢＳ放送用の８ＰＳＫ復調回路とでは、デジタル信号は異なるものの、同一の復調ＩＣにて対応することができる。したがって、このようなユニットにおいても、薄型で、かつ、入力端子８の取付部（支持部１０、第１平板部１１）の強度を十分に確保することができる。
【００４９】
なお、本実施形態では、第１平板部１１は、互いに対向配置されている長辺側壁３ａ・３ｂおよびこれらを連結する短辺側壁４ａと一体化されているが、長辺側壁３ａ・３ｂおよび短辺側壁４ｂと一体化されていてもよく、さらには、短辺側壁４ａ・４ｂおよび長辺側壁３ａ（または長辺側壁３ｂ）と一体化されていてもよい。
【００５０】
なお、本実施形態におけるデジタル放送受信用ユニットは、以下のように表現することもできる。
上記デジタル放送受信用ユニットは、電気回路が実装された回路基板２に箱状のシールドケース１が取り付けられているデジタル放送受信用ユニットにおいて、シールドケース１の上面（第１平板部１１）に入力端子８が備えられ、シールドケース１の各側壁の下部には、上記デジタル放送受信用ユニットをマザーボードに取り付けるための突起部７が備えられ、入力端子８が備えられた平面（第１平板部１１）はシールドケース１の３つの側壁（長辺側壁３ａ・３ｂ、短辺側壁４ａ）と一体化される一方、側壁と一体化されていない箇所（短辺側壁４ｂ側の箇所）はＬ字型にシールドケース１下方へ曲げられたプレート（第２平板部１２）を形成し、上記プレートの先端部には突起部１４が形成されており、回路基板２には突起部１４に対応した位置に挿入部（開口部１３）が形成されており、突起部１４が上記挿入部に挿入されてこの両者が電気的に接続されているとともに、上記プレートが回路基板２上に実装された各回路部１７を分離する構成である。
【００５１】
また、上記デジタル放送受信用ユニットは、上記プレートの両端縁に小突起（突起部１６）が形成されており、上記プレートと直交するシールドケース１の側壁（長辺側壁３ａ・３ｂ）には、上記小突起に対応した位置に挿入部（開口部１５）が形成されており、上記小突起が上記挿入部に挿入されて、これら両者が電気的および機械的に接続、固定されている構成であるとも言える。
【００５２】
〔実施の形態２〕
本発明の他の実施の形態について、図面に基づいて説明すれば、以下の通りである。なお、実施の形態１と同一の構成には同一の部材番号を付記し、その説明を省略する。
【００５３】
図３は、本実施形態に係るデジタル放送受信用ユニットの概略の構成を示す斜視図である。また、図４は、図３におけるＢ−Ｂ´線矢視断面図である。これらの図に示すように、本実施形態のデジタル放送受信用ユニットは、実施の形態１の支持部１０（図１参照）の代わりに支持部２０を用いた点と、回路基板２上の構成が異なる点以外は、実施の形態１と全く同様の構成である。
【００５４】
以下、支持部２０の詳細について説明する。なお、以下では、外部接続端子として、２個の入力端子８を用いる場合について説明する。
【００５５】
支持部２０は、第１平板部２１と、複数の第２平板部２２とを有している。
第１平板部２１は、回路基板２と対向して配置されており、２個の入力端子８を取り付けるための取付穴（図示せず）を有している。この取付穴は、第１平板部２１において、長辺側壁３ａ・３ｂに対して垂直方向（短辺側壁４ａ・４ｂの延設方向）に並んで設けられており、これらの取付穴を介して２個の入力端子８が第１平板部２１上に立設されている。
【００５６】
また、第１平板部２１の略中央位置、すなわち、第１平板部２１上において２個の入力端子８の立設位置（取付穴）の間（略中間位置）には、タップ９が設けられている。本実施形態のデジタル放送受信用ユニットのＴＶ機器への内蔵時には、このタップ９により、ＴＶ機器の図示しないバックパネルと本デジタル放送受信用ユニットとをネジ止めすることが可能となる。また、第１平板部２１にタップ９を設けることで、デジタル放送受信用ユニットをＴＶ機器に強固に固定することができるため、入力端子８の取付部である第１平板部２１のさらなる強度アップを図ることもできる。なお、第１平板部２１にタップ９を設ける構成は、実施の形態１にも適用することが可能である。
【００５７】
また、第１平板部２１は、回路基板２を囲む複数の側壁のうち、互いに対向配置される２側壁（本実施形態では長辺側壁３ａ・３ｂ）と一体化して形成されている。つまり、本実施形態では、第１平板部２１は、短辺側壁４ａ・４ｂとは一体化されていない。
【００５８】
第１平板部２１と上記の２側壁（長辺側壁３ａ・３ｂ）とを一体化したシールドケース１は、１枚の鋼板を第１平板部２１を基準に下方にプレス加工し、箱型に折り曲げることで得ることが可能である。つまり、このようなプレス加工により、長辺側壁３ａ・３ｂの上部のみで一体化された第１平板部２１を得ることができる。
【００５９】
このように、第１平板部２１が、複数の側壁のうちで対向する２側壁のみと一体化されていることにより、シールドケース１内において第１平板部２１を挟んで両側に、２個の矩形の開口部が形成されることになる。つまり、第１平板部２１の自由端（長辺側壁３ａ・３ｂと一体化されていない箇所）と、長辺側壁３ａ・３ｂと、短辺側壁４ａ・４ｂとで囲まれる領域が上記２つの開口部を形成することになる。これらの開口部内に位置する回路基板２上の回路部２７は、むき出しとなっている。
【００６０】
各第２平板部２２は、本実施形態では、第１平板部２１における入力端子８の立設位置を挟む位置関係にある両端部（第１平板部２１における短辺側壁４ａ・４ｂ側の両端部）をそれぞれ切り欠き、回路基板２に向かう方向にＬ字型にそれぞれ折り曲げてなっている。したがって、各第２平板部２２は、互いに対向した位置関係となっている。各第２平板部２２の先端部、すなわち、各第２平板部２２の上記折り曲げ側とは反対側の端部は、回路基板２と電気的にそれぞれ接続されている。
【００６１】
また、各第２平板部２２の上記先端部（回路基板２との接続側の端部）の端面には、回路基板２に形成された開口部２３に挿入される突起部２４がそれぞれ形成されている。したがって、各突起部２４がそれぞれ対応する開口部２３に嵌め込まれ、回路基板２の裏面にて回路基板２と半田付け等がされることにより、各第２平板部２２と回路基板２とが電気的に接続され、固定されることになる（図４参照）。これにより、２つの第２平板部２２と一体的に形成される第１平板部２１（入力端子８の取付部）の強度を十分に確保することができる。
【００６２】
ここで、各第２平板部２２は、第１平板部２１の上記両端部をＬ字型に折り曲げてなり、しかも、第１平板部２１が互いに対向配置される２側壁（長辺側壁３ａ・３ｂ）のみと一体化されていることから、上記の２側壁、すなわち、長辺側壁３ａ・３ｂは、第１平板部２１および第２平板部２２の両方に垂直となるように対向配置されている側壁であると言える。
【００６３】
各第２平板部２２において、上記対向配置されている長辺側壁３ａ・３ｂ側の両端面には、これら長辺側壁３ａ・３ｂに形成された開口部２５に挿入される突起部２６がそれぞれ形成されている。これにより、各第２平板部２２の各突起部２６を長辺側壁３ａ・３ｂの対応する開口部２５に嵌めこみ、さらに開口部２５から突出する突起部２６をかしめることにより、各第２平板部２２が回路基板２だけでなく、長辺側壁３ａ・３ｂとも固定される。したがって、第１平板部２１の強度、ひいては、シールドケース１の強度をより高めることができる。
【００６４】
なお、図３では、シールドケース１の構成を明確にする目的で、各突起部２６をかしめる前の状態、すなわち、各突起部２６を単に長辺側壁３ａ・３ｂの開口部２５に嵌め込んだ状態で図示している。
【００６５】
また、各第２平板部２２は、回路基板２上に実装された複数の回路部２７を分離するように、回路基板２にそれぞれ固定され、また、回路基板２と電気的に接続されている。なお、回路基板２上に、例えば図５に示す復調回路が形成されている場合は、上記複数の回路部２７は、ＲＦ増幅回路部３０とＩＱ直交検波回路部４０とを考えることができる。なお、復調回路の詳細については後述する。
【００６６】
このように２個の第２平板部２２をそれぞれ設けることにより、各第２平板部２２は、シールドケース１を補強する役目にとどまらず、回路基板２上の各回路部２７のアイソレーションを確保する役目も果たす。このため、上記２個の第２平板部２２を設けることにより、各回路部２７のアイソレーションを確保するための構成を別途設ける必要がない。その結果、シールドケース１の構造を簡略化することができる。しかも、アイソレーションの確保により、干渉の少ない良好な特性のデジタル放送受信用ユニットを実現することができる。
【００６７】
以上のように、本実施形態のデジタル放送受信用ユニットにおいては、第１平板部２１は、シールドケース１の複数の側壁のうち、互いに対向配置される２側壁（長辺側壁３ａ・３ｂ）と一体化されている。これにより、第１平板部２１を有する支持部２０と、長辺側壁３ａ・３ｂとの間で、外的応力に起因する互いの変形を抑制し合う効果が得られる。しかも、回路基板２と対向配置した第１平板部２１に入力端子８（本実施形態では２個）を取り付けている点は、実施の形態１と全く同様である。
【００６８】
したがって、本実施形態のデジタル放送受信用ユニットにおいても、実施の形態１と同様に、ユニットの薄型化の効果と、入力端子８の取付部の強度強化の効果とを同時に得ることができる。
【００６９】
また、２個の入力端子８が取り付けられる第１平板部２１を、回路基板２と対向配置させているので、第１平板部２１の面積を広くすることができる。これにより、実施の形態１と同様に、第１平板部２１における各入力端子８の設置位置に自由度を持たせることができる。
【００７０】
また、２個の第２平板部２２は、第１平板部２１における、２個の入力端子８の立設位置を挟む位置関係にある両端部をそれぞれ折り曲げてなっているとともに、それぞれが回路基板２に固定されているので、各入力端子８と支持部２０とシールドケース１の各側壁と回路基板２とが一体的に構成される。しかも、互いに対向する回路基板２と第１平板部２１とが２個の第２平板部２２で連結されるので、回路基板２および第１平板部２１に対して垂直方向の応力を２個の第２平板部２２にて確実に受け止めることができる。その結果、入力端子８の支持部２０、ひいてはユニット全体の強度をさらに確保することができる。
【００７１】
なお、本実施形態では、第１平板部２１は、長辺側壁３ａ・３ｂと一体化されている一方、短辺側壁４ａ・４ｂとは一体化されていないが、逆に、短辺側壁４ａ・４ｂと一体化される一方、長辺側壁３ａ・３ｂと一体化されない構成としてもよい。
【００７２】
なお、本実施形態におけるデジタル放送受信用ユニットは、以下のように表現することもできる。
上記デジタル放送受信用ユニットは、電気回路が実装された回路基板２に箱状のシールドケース１が取り付けられているデジタル放送受信用ユニットにおいて、シールドケース１の上面（第１平板部２１）の中央部に入力端子８が備えられ、シールドケース１の各側壁の下部には、デジタル放送受信用ユニットをマザーボードに取り付けるための突起部７が備えられ、入力端子８が備えられた平面（第１平板部２１）は、シールドケース１の２つの側壁（長辺側壁３ａ・３ｂ）と一体化される一方、側壁と一体化されていない２箇所はＬ字型にシールドケース１下方へ曲げられたプレート（２個の第２平板部２２）をそれぞれ形成し、上記各プレートの先端部には突起部２４が形成されており、回路基板２には突起部２４に対応した位置に挿入部（開口部２３）が形成されており、突起部２４が上記挿入部に挿入されてこの両者が電気的に接続されているとともに、上記各プレートが回路基板２上に実装された各回路部２７を分離する構成である。
【００７３】
また、上記デジタル放送受信用ユニットは、上記各プレートの両端縁に小突起（突起部２６）が形成されており、上記各プレートと直交するシールドケース１の側壁（長辺側壁３ａ・３ｂ）には、上記小突起に対応した位置に挿入部（開口部２５）がそれぞれ形成されており、上記小突起が上記挿入部に挿入されて、これら両者が電気的および機械的に接続、固定されている構成であるとも言える。
【００７４】
次に、本実施形態のデジタル放送受信用ユニットのシールドケース１に収容される回路基板２の電気回路の構成例について説明する。
【００７５】
本実施形態では、外部接続端子として２個の入力端子８を第１平板部２１に形成しており、回路基板２上において、これら２個の入力端子８を挟む位置関係にある２つの位置には、各入力端子８に対応して図５に示す構成の復調回路がそれぞれ配置されている。これら２系統の復調回路は、各入力端子８から入力されたＲＦ信号を処理する信号処理回路であり、上記２個の入力端子８に対して対称となるように配置されている。
【００７６】
以下、上記復調回路の詳細について説明するが、説明の理解を容易にするため、ここでは、近年主流となっているダイレクトコンバージョン方式の復調回路を持つデジタル衛星放送受信用ユニットに適用される復調回路について説明する。
【００７７】
この復調回路は、図５に示すように、ＲＦ増幅回路部３０と、Ｉ／Ｑ直交検波回路部４０とで構成されている。ＲＦ増幅回路部３０は、ハイパスフィルタ３１と、ＲＦ増幅器３２と、ＲＦアッテネータ３３とで構成されている。一方、Ｉ／Ｑ直交検波回路部４０は、Ｉ／Ｑ直交検波器４１と、局部発振器４２とで構成されている。
【００７８】
入力端子８から入力されたＲＦ信号は、ＲＦ増幅回路部３０のハイパスフィルタ３１を介してＲＦ増幅器３２に入力され、このＲＦ増幅器３２にて増幅された後、ＲＦアッテネータ３３に入力される。ＲＦアッテネータ３３は、Ｉ／Ｑ直交検波回路部４０のＩ／Ｑ直交検波器４１への入力レベルを最適化するよう動作し、その出力が上記のＩ／Ｑ直交検波器４１に入力される。
【００７９】
Ｉ／Ｑ直交検波器４１では、ＲＦアッテネータ３３の出力が、入力されたＲＦ信号と同一の周波数で発振する局部発振器４２の局部発振信号と混合され、互いに９０度の位相差を有するＩ信号とＱ信号との２つのベースバンド信号に変換される。
【００８０】
また、図示はしないが、Ｉ／Ｑ直交検波器４１の後段に、ＱＰＳＫ復調回路あるいは８ＰＳＫ復調回路を搭載したものもあるが、ここでは、本発明の主旨とは異なるため、説明を省略する。
【００８１】
このようなダイレクトコンバージョン方式の回路構成では、入力されたＲＦ信号と局部発振器４２の局部発振信号とは同一の周波数であるため、これらの干渉を軽減することが必要となる。本発明では、入力端子８の取付部（第１平板部２１、支持部２０）の強度アップを目的として備えられた各第２平板部２２によって、各復調回路のＲＦ増幅回路部３０とＩ／Ｑ直交検波回路部４０とが分離されるため、そのような強度アップのみならず、上記両回路間で上記両信号が干渉し合うのを抑制することもできる。
【００８２】
また、回路基板２上では、２個の入力端子８を境界としてその両側に、同一の回路部（図５に示す復調回路（信号処理回路））が対称に配置されている。このように同一回路部が２つ搭載されるようなアプリケーションでは、各回路部のアイソレーションを確保しながら、同一の回路レイアウトを採用することができる。その結果、そのようなアプリケーションの開発期間を短縮化することができ、また、それぞれの回路部の特性についても、同性能を得ることができる。そして、全く同等性能をもった２系統の復調回路を１つのシールドケース１内に搭載した上で、デジタル放送受信用ユニットを薄型で小型化することができ、ＬＣＤやＰＤＰ等のＴＶ機器への内蔵が可能なデジタル放送受信用ユニットを容易に実現することができる。
【００８３】
ところで、本実施形態では、第１平板部２１上に設ける外部接続端子を、２個の入力端子としたが、これに限定されるわけではなく、１個の入力端子であってもよい。また、２個の入力端子と１個の出力端子とを上記外部接続端子として用いる構成であっても構わない。特に、後者の場合、２系統の入力と１系統の分配出力機能とを持つバリエーションにも対応することができ、入力端子が増えても、薄型で、かつ、入力端子８の取付部（第１平板部２１、支持部２０）の強度を十分に確保したデジタル放送受信用ユニットを提供することができる。
【００８４】
【発明の効果】
本発明のデジタル放送受信用ユニットによれば、第１平板部は、シールドケースの複数の側壁のうち、互いに対向配置される２側壁と一体化して形成されている。このように、一体化された２側壁と上記第１平板部を有する支持部とは、一方の外的応力による変形を他方が抑制するという関係に立つので、どのような方向の曲げ応力に対しても耐え得るケース構造を実現することができる。その結果、外部接続端子の支持部、ひいてはユニット全体の強度を十分に確保することができる。
【００８５】
しかも、本発明のデジタル放送受信用ユニットでは、回路基板と対向配置した第１平板部に外部接続端子を立設する構成としたので、回路基板に対して垂直に設けられる側壁に外部接続端子を立設する構成に比べて、回路基板に対して垂直に突出する方向の長さを容易に短くすることができる。これにより、デジタル放送受信用ユニットを薄型化を容易に実現することができる。
【００８６】
したがって、本発明によれば、デジタル放送受信用ユニットの薄型化と、入力端子取付部（支持部）の強度強化とを両方同時に達成することができるという効果を奏する。
【図面の簡単な説明】
【図１】本発明の実施の一形態に係るデジタル放送受信用ユニットの概略の構成を示す斜視図である。
【図２】図１におけるＡ−Ａ´線矢視断面図である。
【図３】本発明の他の実施の形態に係るデジタル放送受信用ユニットの概略の構成を示す斜視図である。
【図４】図３におけるＢ−Ｂ´線矢視断面図である。
【図５】上記デジタル放送受信用ユニットの回路基板上に形成される復調回路の概略の構成を示す説明図である。
【図６】従来のデジタル放送受信用ユニットが内蔵されたブラウン管型のＴＶ機器の概略の構成を示す断面図である。
【図７】上記デジタル放送受信用ユニットを拡大して示す斜視図である。
【図８】従来のデジタル放送受信用ユニットが内蔵されたＬＣＤ型のＴＶ機器の概略の構成を示す断面図である。
【図９】図７に比べて薄型のデジタル放送受信用ユニットの概略の構成を示す斜視図である。
【図１０】上記デジタル放送受信用ユニットが内蔵されたＬＣＤ型のＴＶ機器の概略の構成を示す断面図である。
【図１１】上記デジタル放送受信用ユニットを展開して示した場合の、当該デジタル放送受信用ユニットの斜視図である。
【図１２】上記デジタル放送受信用ユニットの詳細な構成を示す斜視図である。
【図１３】上記デジタル放送受信用ユニットの他の構成例を示す斜視図である。
【符号の説明】
１　　シールドケース
２　　回路基板
３ａ　長辺側壁（側壁）
３ｂ　長辺側壁（側壁）
４ａ　短辺側壁（側壁）
４ｂ　短辺側壁（側壁）
８　　入力端子（外部接続端子）
１０、２０　　支持部
１１、２１　　第１平板部
１２、２２　　第２平板部
１３、２３　　開口部
１４、２４　　突起部
１５、２５　　開口部
１６、２６　　突起部
１７、２７　　回路部
【図１】
2004134842.tif 000003
【図２】
2004134842.tif 000004
【図３】
2004134842.tif 000005
【図４】
2004134842.tif 000006
【図５】
2004134842.tif 000007
【図６】
2004134842.tif 000008
【図７】
2004134842.tif 000009
【図８】
2004134842.tif 000010
【図９】
2004134842.tif 000011
【図１０】
2004134842.tif 000012
【図１１】
2004134842.tif 000013
【図１２】
2004134842.tif 000014
【図１３】
2004134842.tif 000015